(57)【要約】【課題】ユーザの行動に応じたコンテンツを出力できるようにする。【解決手段】デジタルサイネージ装置１によれば、近距離無線通信部３１において、携帯端末３からの近距離無線通信によりブロードキャストされたＩＤ情報の受信履歴情報を受信した際に、制御部２３は、受信した受信履歴情報に基づいて、出力対象のコンテンツを決定し、決定したコンテンツを画像形成部２７及び音声出力部３３により出力させる。【選択図】図１０
2017169089.tif 000002
【特許請求の範囲】
【請求項１】
コンテンツを出力する出力手段と、
携帯端末から、他の近距離無線通信装置によりブロードキャストされた情報の受信履歴情報を取得する取得手段と、
前記取得手段により取得された受信履歴情報に基づいて、出力対象のコンテンツを決定し、決定したコンテンツを前記出力手段により出力させる制御手段と、
を備えるコンテンツ出力装置。
【請求項２】
前記制御手段は、前記取得手段により前記携帯端末から前記受信履歴情報を取得した際に、出力対象のコンテンツを決定し、決定したコンテンツを前記出力手段により出力させる請求項１に記載のコンテンツ出力装置。
【請求項３】
前記受信履歴情報は、前記携帯端末において他の近距離無線通信装置から受信されたＩＤ情報を含み、
前記制御手段は、前記取得手段により取得された受信履歴情報に複数のＩＤ情報が含まれている場合に、前記取得された複数のＩＤ情報のうち、所定の条件に合致したＩＤ情報に基づいて、出力対象のコンテンツを決定する請求項１又は２に記載のコンテンツ出力装置。
【請求項４】
前記受信履歴情報は、前記携帯端末において他の近距離無線通信装置から受信されたＩＤ情報が変化した時点の日時とその時点で受信されていたＩＤ情報とを含み、
前記制御手段は、前記取得手段により取得された受信履歴情報に基づいて、前記携帯端末において前記ＩＤ情報のそれぞれが受信されていた時間を算出し、算出した時間に基づいて、出力対象のコンテンツを決定する請求項１又は２に記載のコンテンツ出力装置。
【請求項５】
前記ＩＤ情報は、店舗内に設置され当該ＩＤ情報をブロードキャストした近距離無線通信装置を識別するための識別情報であり、
前記制御手段は、前記取得手段により取得された受信履歴情報に含まれるＩＤ情報に基づいて、前記携帯端末のユーザの移動経路上に陳列されていた対象商品を特定し、前記携帯端末において前記ＩＤ情報のそれぞれが受信されていた時間に基づいて、前記携帯端末のユーザの前記対象商品のそれぞれに対する興味度合いを判定し、判定した興味度度合いに基づいて、出力対象のコンテンツを決定する請求項４に記載のコンテンツ出力装置。
【請求項６】
携帯端末から、他の近距離無線通信装置によりブロードキャストされた情報の受信履歴情報を取得する取得工程と、
前記取得工程により取得された受信履歴情報に基づいて、出力対象のコンテンツを決定する決定工程と、
前記決定工程において決定されたコンテンツを出力手段により出力する出力工程と、
を含むコンテンツ出力方法。
【請求項７】
コンテンツを出力する出力手段を備えるコンテンツ出力装置に用いられるコンピュータを、
携帯端末から、他の近距離無線通信装置によりブロードキャストされた情報の受信履歴情報を取得する取得手段、
前記取得手段により取得された受信履歴情報に基づいて、出力対象のコンテンツを決定し、決定したコンテンツを前記出力手段により出力させる制御手段、
として機能させるためのプログラム。
【発明の詳細な説明】
【技術分野】
【０００１】
本発明は、コンテンツ出力装置、コンテンツ出力方法及びプログラムに関する。
【背景技術】
【０００２】
従来、コンテンツに登場する人物等の輪郭の形状に形成されたスクリーンにコンテンツを投影することにより、閲覧者に対して印象を高めることができる映像出力装置搭載機器が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
しかしながら、特許文献１に記載の映像出力装置搭載機器においては、映像コンテンツを一方的に出力するだけであり、ユーザの行動に応じたコンテンツを出力することができなかった。
【０００５】
本発明の課題は、ユーザの行動に応じたコンテンツを出力できるようにすることである。
【課題を解決するための手段】
【０００６】
上記課題を解決するため、請求項１に記載の発明のコンテンツ出力装置は、
コンテンツを出力する出力手段と、
携帯端末から、他の近距離無線通信装置によりブロードキャストされた情報の受信履歴情報を取得する取得手段と、
前記取得手段により取得された受信履歴情報に基づいて、出力対象のコンテンツを決定し、決定したコンテンツを前記出力手段により出力させる制御手段と、
を備える。
【発明の効果】
【０００７】
本発明によれば、ユーザの行動に応じたコンテンツを出力することが可能となる。
【図面の簡単な説明】
【０００８】
【図１】本実施形態におけるコンテンツ出力システムの全体構成を示す図である。
【図２】店舗内における図１のデジタルサイネージ装置及びビーコンの配置例を示す図である。
【図３】図１のデジタルサイネージ装置の機能的構成を示すブロック図である。
【図４】図３のスクリーン部の概略構成を示す図である。
【図５】図３の対象商品テーブル記憶部のデータ格納例を示す図である。
【図６】図１の携帯端末の機能的構成を示すブロック図である。
【図７】図６の受信ログ記憶部のデータ格納例を示す図である。
【図８】図６の制御部により実行される受信履歴記録送信処理を示すフローチャートである。
【図９】図３の制御部により実行されるコンテンツ出力処理を示すフローチャートである。
【図１０】図９のステップＳ２２において実行される受信履歴解析処理を示すフローチャートである。
【発明を実施するための形態】
【０００９】
以下、添付図面を参照して本発明に係る好適な実施形態を詳細に説明する。以下の実施形態では、本発明に係るコンテンツ出力装置をデジタルサイネージ装置１に適用した場合を例にとり説明する。なお、本発明は、図示例に限定されるものではない。
【００１０】
［コンテンツ出力システム１００の構成］
図１は、本発明の実施形態におけるコンテンツ出力システム１００の概略構成を示す図である。コンテンツ出力システム１００は、図１に示すように、店舗内に備えられたデジタルサイネージ装置１及びビーコン２と、顧客が携帯する携帯端末３と、を備えて構成されている。携帯端末３は、デジタルサイネージ装置１及びビーコン２とBluetooth（登録商標）による近距離無線通信が可能である。
【００１１】
図２は、店舗内における図１のデジタルサイネージ装置１及びビーコン２の配置例を示す図である。図２に示すように、店舗内の各売場には、少なくとも１つのビーコン２が配置されている。また、店舗内の適当な位置にデジタルサイネージ装置１が配置されている。各デジタルサイネージ装置１及びビーコン２には、個体を識別するためのＩＤ情報が付与されている。
【００１２】
［デジタルサイネージ装置１の構成］
図３は、本実施形態におけるデジタルサイネージ装置１の主制御構成を示すブロック図である。図４は、図３のスクリーン部２２の概略構成を示す正面図である。
【００１３】
図３に示すように、デジタルサイネージ装置１は、コンテンツの映像光を照射する投影部２１と、投影部２１から照射された映像光を背面で受けて前面に投影するスクリーン部２２とを備えている。
【００１４】
まず、投影部２１について説明する。
投影部２１は、制御部２３と、プロジェクタ２４と、記憶部２５と、を備えている。プロジェクタ２４、記憶部２５は、図３に示すように制御部２３に接続されている。
【００１５】
制御部２３は、記憶部２５に記憶されている各種のプログラムを実行して所定の演算や各部の制御を行うＣＰＵ（Central Processing Unit）とプログラム実行時の作業領域となるＲＡＭ（Random Access Memory）とを備えている（いずれも図示略）。制御部２３は、記憶部２５のプログラム記憶部２５１に記憶されているプログラムとの協働により、制御手段として機能する。
【００１６】
プロジェクタ２４は、制御部２３から出力されたコンテンツの画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
プロジェクタ２４は、画像形成部２７及び音声出力部３３とともに、出力手段を構成する。
【００１７】
記憶部２５は、ＨＤＤ（Hard Disk Drive）や不揮発性の半導体メモリ等により構成される。記憶部２５には、図３に示すように、プログラム記憶部２５１、コンテンツ記憶部２５２、対象商品テーブル記憶部２５３、レシピ決定テーブル記憶部２５４が設けられている。
【００１８】
プログラム記憶部２５１には、制御部２３で実行されるシステムプログラムや各種処理プログラム、これらのプログラムの実行に必要なデータ等が記憶されている。
【００１９】
コンテンツ記憶部２５２には、コンテンツを識別するためのコンテンツＩＤに対応付けてコンテンツデータが記憶されている。コンテンツデータは、主として複数のフレーム画像により構成される動画データ及び各フレーム画像に対応する音声データにより構成されていることとするが、画像データ（静止画データ又は動画データ）のみ、又は音声データのみにより構成されるものが含まれていてもよい。
【００２０】
対象商品テーブル記憶部２５３には、各ビーコン２のＩＤ情報に対応付けて、そのＩＤ情報のビーコン２が配置されている場所の近傍（例えば、ビーコン２の通信エリア内）に陳列されている対象商品が記憶されている。
図５に、対象商品テーブル記憶部２５３のデータ格納例を示す。図５に示すように、対象商品テーブル記憶部２５３は、「ＩＤ情報」と「対象商品」の項目の領域を有し、ＩＤ情報とそのＩＤ情報のビーコン２が配置されている場所の近傍に陳列されている対象商品が記憶されている。
【００２１】
レシピ決定テーブル記憶部２５４には、複数の商品の組み合わせと、その商品の組み合わせを使用するおすすめ料理のレシピに関するコンテンツのコンテンツＩＤが対応付けて記憶されている。
【００２２】
次に、スクリーン部２２について説明する。
スクリーン部２２には、図４に示すように、画像形成部２７と、画像形成部２７を支持する台座２８とが備えられている。
【００２３】
画像形成部２７は、映像光の照射方向に対して略直交するように配置された、例えばアクリル板などの人型に成形された一枚の透光板２９に、フィルム状のフレネルレンズが積層された背面投影用のフィルムスクリーンが貼付されて構成されたスクリーンである。なお、画像形成部２７の形状は、ここでは人型として示しているが、その形状は特に限定されるものではない。
【００２４】
台座２８には、近距離無線通信部３１と、ボタン式の操作部３２と、音声を出力するスピーカなどの音声出力部３３とが設けられている。
【００２５】
近距離無線通信部３１は、Bluetooth Low Energy（ＢＬＥ）の通信方式により外部機器と近距離無線通信を行う。具体的に、近距離無線通信部３１は、近距離無線通信装置として、予め設定された送信強度で設定されたＩＤ情報（ここでは、装置のＩＤ情報）を含む発信情報をブロードキャストする。また、近距離無線通信部３１は、取得手段として、携帯端末３から送信された受信履歴情報を受信（取得）する。
【００２６】
近距離無線通信部３１、操作部３２、音声出力部３３は、図１に示すように制御部２３に接続されている。
【００２７】
［ビーコン２の構成］
ビーコン２は、Bluetooth Low Energy（ＢＬＥ）の通信方式により、予め設定された送信強度で設定されたＩＤ情報（ここでは、装置のＩＤ情報）を含む発信情報をブロードキャストする近距離無線通信装置である。
【００２８】
［携帯端末３の構成］
図６は、携帯端末３の主制御構成を示すブロック図である。携帯端末３は、顧客が携帯しているスマートフォンや携帯電話機等の端末であり、図６に示すように、制御部３０１、記憶部３０２、操作部３０３、表示部３０４、ネットワーク通信部３０５、近距離無線通信部３０６、計時部３０７等を備えて構成されている。
【００２９】
制御部３０１は、記憶部３０２のプログラム記憶部３２１に記憶されている各種のプログラムを実行して所定の演算や各部の制御を行うＣＰＵとプログラム実行時の作業領域となるメモリとを備えている（いずれも図示略）。制御部３０１は、記憶部３０２のプログラム記憶部３２１に記憶されているアプリケーションプログラムとの協働により、後述する受信履歴記録送信処理を実行する。
【００３０】
記憶部３０２は、不揮発性の半導体メモリ等により構成される。記憶部３０２には、図６に示すように、プログラム記憶部３２１が設けられている。プログラム記憶部３２１には、制御部３０１で実行されるシステムプログラムや、後述する受信履歴記録送信処理を実行するためのレシピ提供用のアプリケーションプログラム、これらのプログラムの実行に必要なデータ等が記憶されている。
【００３１】
また、記憶部３０２には、受信ログ記憶部３２２が設けられている。
図７に、受信ログ記憶部３２２の一例を示す。図７に示すように、受信ログ記憶部３２２には、「タイムスタンプ」、「取得ＩＤ」の項目が設けられており、ビーコン２及びデジタルサイネージ装置１から近距離無線通信によりブロードキャストされたＩＤ情報の受信状態が変化した時点のタイムスタンプとその時点で受信していたＩＤ情報を対応付けて記憶する。  
【００３２】
また、記憶部３０２には、デジタルサイネージ装置１に割り当てられたＩＤ情報が記憶されている。
【００３３】
操作部３０３は、各種機能キーを備え、ユーザによる各キーの押下入力を受け付けてその操作情報を制御部３０１に出力する。また、操作部３０３は、表示部３０４の表面を覆うように透明電極を格子状に配置したタッチパネル等を有し、手指やタッチペン等で押下された位置を検出し、その位置情報を操作情報として制御部３０１に出力する。  
【００３４】
表示部３０４は、ＬＣＤ（Liquid Crystal Display）等により構成され、制御部３０１からの表示制御信号に従って、画面上に各種表示を行う。
【００３５】
ネットワーク通信部３０５は、無線により基地局又はアクセスポイントを介して、移動体通信網やインターネット等を含む通信ネットワークに接続し、通信ネットワークに接続された外部機器との通信を行う。
【００３６】
近距離無線通信部３０６は、Bluetooth Low Energy（ＢＬＥ）の通信方式により外部機器と無線通信を行う。
【００３７】
計時部３０７は、ＲＴＣ（Real Time Clock）等により構成され、現在日時を取得して制御部３０１に出力する。
【００３８】
［コンテンツ出力システム１００の動作］
次に、コンテンツ出力システム１００の動作について説明する。
【００３９】
（携帯端末３の動作）
まず、携帯端末３の動作について説明する。
図８に、携帯端末３において実行される受信履歴記録送信処理のフローチャートを示す。受信履歴記録送信処理は、プログラム記憶部３２１に記憶されているレシピ提供用のアプリケーションが起動された際に、制御部３０１とレシピ提供用のアプリケーションとの協働により実行される。
【００４０】
まず、制御部３０１は、近距離無線通信部３０６によるＩＤ情報の受信状態が変化したか否かを判断する（ステップＳ１）。具体的に、近距離無線通信部３０６により受信されたＩＤ情報が受信ログ記憶部３２２に記憶されている直前の受信履歴情報の「取得ＩＤ」に記録されているＩＤ情報から変化したか否かを判断する。
【００４１】
例えば、顧客が携帯端末３を持って図２に示すように店舗の出入口から入店した場合、携帯端末３は、まず、ＩＤ情報＝０１のビーコン２の通信エリア内に入り、ＩＤ情報を受信していない状態からＩＤ情報＝０１を受信している状態となる。矢印の方向へ少し進むと、ＩＤ情報＝０１のビーコン２の通信エリア内、かつＩＤ情報＝０３の通信エリア内に入り、ＩＤ情報＝０１のみを受信している状態からＩＤ情報＝０１、０３を受信している状態となる。このように、顧客が店舗内を移動していくと、その移動経路によって受信するＩＤ情報が変化する。また、顧客が店舗から出ると、ＩＤ情報が受信されない状態となる。即ち、ＩＤ情報の受信履歴情報から、携帯端末３のユーザの店舗内での移動経路を特定することができる。
【００４２】
近距離無線通信部３０６によるＩＤ情報の受信状態が変化していないと判断した場合（ステップＳ１；ＮＯ）、制御部３０１は、ステップＳ１に戻る。
【００４３】
近距離無線通信部３０６によるＩＤ情報の受信状態が変化したと判断した場合（ステップＳ１；ＹＥＳ）、制御部３０１は、近距離無線通信部３０６によりＩＤ情報が受信された状態であるか否かを判断する（ステップＳ２）。
【００４４】
近距離無線通信部３０６によりＩＤ情報が受信された状態であると判断した場合（ステップＳ２；ＹＥＳ）、制御部３０１は、計時部３０７により現在日時を取得し、取得した現在日時をタイムスタンプとして、受信したＩＤ情報に対応付けて受信履歴情報として受信ログ記憶部３２２に記憶させる（ステップＳ３）。
【００４５】
次いで、制御部３０１は、記憶部３０２を参照し、受信したＩＤ情報にデジタルサイネージ装置１のＩＤ情報が含まれているか否かを判断する（ステップＳ４）。
【００４６】
受信したＩＤ情報にデジタルサイネージ装置１のＩＤ情報が含まれていないと判断した場合（ステップＳ４；ＮＯ）、制御部３０１は、ステップＳ１に戻る。
【００４７】
受信したＩＤ情報にデジタルサイネージ装置１のＩＤ情報が含まれていると判断した場合（ステップＳ４；ＹＥＳ）、制御部３０１は、受信ログ記憶部３２２に記憶されている受信履歴情報を近距離無線通信部３０６によりデジタルサイネージ装置１に送信（アップロード）し（ステップＳ５）、ステップＳ１に戻る。
【００４８】
一方、ステップＳ２において、近距離無線通信部３０６によりＩＤ情報が受信されていない状態であると判断した場合（ステップＳ２；ＮＯ）、制御部３０１は、受信ログ記憶部３２２に記憶されている受信履歴情報を削除（クリア）して（ステップＳ６）、ステップＳ１に戻る。
【００４９】
制御部３０１は、レシピ提供用のアプリケーションが起動されている間、ステップＳ１〜ステップＳ６の処理を繰り返し実行する。
【００５０】
（デジタルサイネージ装置１の動作）
次に、デジタルサイネージ装置１の動作について説明する。
図９に、デジタルサイネージ装置１において実行されるコンテンツ出力処理のフローチャートを示す。コンテンツ出力処理は、デジタルサイネージ装置１が起動された際に、制御部２３とプログラム記憶部２５１に記憶されているプログラムとの協働により実行される。
【００５１】
まず、制御部２３は、近距離無線通信部３１により携帯端末３から受信履歴情報が受信されるのを待機する（ステップＳ２１）。
近距離無線通信部３１により携帯端末３から受信履歴情報が受信されたと判断した場合（ステップＳ２１；ＹＥＳ）、制御部２３は、受信履歴解析処理を実行する（ステップＳ２２）。
【００５２】
図１０に、デジタルサイネージ装置１において実行される受信履歴解析処理のフローチャートを示す。受信履歴解析処理は、制御部２３とプログラム記憶部２５１に記憶されているプログラムとの協働により実行される。
【００５３】
まず、制御部２３は、近距離無線通信部３１により携帯端末３から受信した受信履歴情報に基づいて、携帯端末３により各ＩＤ情報が受信されていた時間を算出する（ステップＳ２２１）。携帯端末３により各ＩＤ情報が受信されていた時間から、携帯端末３のユーザが店舗内で立ち寄った場所やその滞在時間を特定することができる。
【００５４】
次いで、制御部２３は、各ＩＤ情報が携帯端末３により受信されていた時間に基づいて、携帯端末３のユーザの各対象商品に対する興味度合いを判定する（ステップＳ２２２）。例えば、制御部２３は、対象商品テーブル記憶部２５３を参照し、受信履歴情報に含まれる各ＩＤ情報に対応する対象商品を携帯端末３のユーザの移動経路上に陳列されていた対象商品として特定する。そして、「ＩＤ情報が受信されていた時間＝そのＩＤ情報に対応する対象商品の興味度合い」として、対象商品のそれぞれに対する興味度合いを判定する。或いは、ＩＤ情報が受信されていた時間の範囲と興味度合いとを対応付けたテーブルを予め記憶部２５に記憶しておき、そのテーブルに基づいて対象商品の興味度合いを判定してもよい。
【００５５】
なお、ＩＤ情報が受信されていた時間が所定時間以下の場合は、携帯端末３のユーザは対象商品の前を素通りしているだけであり、対象商品に興味を持っているわけではない。そこで、制御部２３は、受信したＩＤ情報のうち、ＩＤ情報が受信されていた時間が所定時間以上のＩＤ情報のみをステップＳ２２２以降の処理に用いることとしてもよい。
【００５６】
次いで、制御部２３は、レシピ決定テーブル記憶部２５４を参照し、興味度合いの高い（例えば、興味度合いが上位Ｎ個（Ｎは正整数）の）対象商品の組み合わせに基づいておすすめ料理を決定し、決定したおすすめ料理のレシピに関するコンテンツを出力対象のコンテンツに決定し（ステップＳ２２３）、図９のステップＳ２３に移行する。
【００５７】
図９のステップＳ２３において、制御部２３は、プロジェクタ２４及び音声出力部３３によりステップＳ２２３で決定した出力対象のコンテンツを出力させる（ステップＳ２３）。即ち、制御部２３は、コンテンツ記憶部２５２からステップＳ２２３で決定したコンテンツのコンテンツＩＤに対応するコンテンツデータを読み出し、読み出したコンテンツデータの画像データに基づいてプロジェクタ２４により画像形成部２７にコンテンツの画像を投影させる。また、読み出した動画データの音声データに基づいて音声出力部３３によりコンテンツの音声を出力させる。
コンテンツが終了すると、制御部２３は、ステップＳ２１に戻る。
【００５８】
制御部２３は、デジタルサイネージ装置１が起動されている間、ステップＳ２１〜ステップＳ２３の処理を繰り返し実行する。
【００５９】
以上説明したように、デジタルサイネージ装置１によれば、近距離無線通信部３１により携帯端末３からＩＤ情報の受信履歴情報を受信した際に、制御部２３は、受信した受信履歴情報に基づいて、出力対象のコンテンツを決定し、決定したコンテンツを画像形成部２７及び音声出力部３３により出力させる。
【００６０】
ＩＤ情報は、店舗内に設置され当該ＩＤ情報をブロードキャストした近距離無線通信装置（デジタルサイネージ装置１又はビーコン２）を識別するための識別情報であり、例えば、制御部２３は、携帯端末３から受信した受信履歴情報に基づいて、携帯端末３においてＩＤ情報のそれぞれが受信されていた時間を算出し、受信されていた時間が所定の条件に合致した（例えば、所定の時間以上の）ＩＤ情報に基づいて、出力対象のコンテンツを決定する。
【００６１】
従って、携帯端末３のユーザの店舗内の移動経路や立ち寄った場所等のユーザの行動を特定し、ユーザの行動に応じたコンテンツを出力することが可能となる。また、受信したＩＤ情報全てでなく、所定の条件に合致したＩＤ情報に基づいて、出力対象のコンテンツを決定することができる。
【００６２】
また、例えば、制御部２３は、取得された受信履歴情報に含まれるＩＤ情報に基づいて、携帯端末３のユーザの移動経路上に陳列されていた対象商品を特定し、携帯端末３においてＩＤ情報のそれぞれが受信されていた時間に基づいて、携帯端末３のユーザの対象商品のそれぞれに対する興味度合いを判定し、判定した興味度度合いに基づいて、出力対象のコンテンツを決定する。
従って、ユーザの行動に応じて、ユーザの興味のある対象商品を割り出て、ユーザの興味のある対象商品に係るコンテンツを出力することが可能となる。
【００６３】
なお、上記実施形態における記述内容は、本発明に係るコンテンツ出力システムの好適な一例であり、これに限定されるものではない。
【００６４】
例えば、上記実施形態においては、Bluetooth Low Energy（ＢＬＥ）の通信方式によりＩＤ情報を含む発信情報をブロードキャストする場合を例にとり説明したが、通信方式はこれに限定されない。例えば、本発明は、超音波通信によりＩＤ情報を含む発信情報を示す信号をブロードキャストすることとしてもよい。
【００６５】
また、例えば、上記実施形態においては、Bluetooth Low Energy（ＢＬＥ）の通信方式を用いて携帯端末３からデジタルサイネージ装置１に受信履歴情報を送信する場合を例にとり説明したが、これに限定されず、例えば、ＮＦＣ（Near Field Communication）等を用いることとしてもよい。
【００６６】
また、デジタルサイネージ装置１は、コンテンツ出力処理における受信履歴情報の待機中に、例えば、セール品の案内等の所定のコンテンツを出力することとしてもよい。
【００６７】
また、上記実施形態においては、本発明をプロジェクタからスクリーンに画像を投影することで画像の表示を行うデジタルサイネージ装置に適用した場合を例にとり説明したが、例えば、液晶ディスプレイ、プラズマディスプレイ等、他の表示装置を備えるコンテンツ再生装置に適用しても同様の効果を奏することができ、この例に限定されない。
【００６８】
その他、コンテンツ出力システムを構成する各装置の細部構成及び細部動作に関しても、発明の趣旨を逸脱することのない範囲で適宜変更可能である。
【００６９】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
コンテンツを出力する出力手段と、
携帯端末から、他の近距離無線通信装置によりブロードキャストされた情報の受信履歴情報を取得する取得手段と、
前記取得手段により取得された受信履歴情報に基づいて、出力対象のコンテンツを決定し、決定したコンテンツを前記出力手段により出力させる制御手段と、
を備えるコンテンツ出力装置。
＜請求項２＞
前記制御手段は、前記取得手段により前記携帯端末から前記受信履歴情報を取得した際に、出力対象のコンテンツを決定し、決定したコンテンツを前記出力手段により出力させる請求項１に記載のコンテンツ出力装置。
＜請求項３＞
前記受信履歴情報は、前記携帯端末において他の近距離無線通信装置から受信されたＩＤ情報を含み、
前記制御手段は、前記取得手段により取得された受信履歴情報に複数のＩＤ情報が含まれている場合に、前記取得された複数のＩＤ情報のうち、所定の条件に合致したＩＤ情報に基づいて、出力対象のコンテンツを決定する請求項１又は２に記載のコンテンツ出力装置。
＜請求項４＞
前記受信履歴情報は、前記携帯端末において他の近距離無線通信装置から受信されたＩＤ情報が変化した時点の日時とその時点で受信されていたＩＤ情報とを含み、
前記制御手段は、前記取得手段により取得された受信履歴情報に基づいて、前記携帯端末において前記ＩＤ情報のそれぞれが受信されていた時間を算出し、算出した時間に基づいて、出力対象のコンテンツを決定する請求項１又は２に記載のコンテンツ出力装置。
＜請求項５＞
前記ＩＤ情報は、店舗内に設置され当該ＩＤ情報をブロードキャストした近距離無線通信装置を識別するための識別情報であり、
前記制御手段は、前記取得手段により取得された受信履歴情報に含まれるＩＤ情報に基づいて、前記携帯端末のユーザの移動経路上に陳列されていた対象商品を特定し、前記携帯端末において前記ＩＤ情報のそれぞれが受信されていた時間に基づいて、前記携帯端末のユーザの前記対象商品のそれぞれに対する興味度合いを判定し、判定した興味度度合いに基づいて、出力対象のコンテンツを決定する請求項４に記載のコンテンツ出力装置。
＜請求項６＞
携帯端末から、他の近距離無線通信装置によりブロードキャストされた情報の受信履歴情報を取得する取得工程と、
前記取得工程により取得された受信履歴情報に基づいて、出力対象のコンテンツを決定する決定工程と、
前記決定工程において決定されたコンテンツを出力手段により出力する出力工程と、
を含むコンテンツ出力方法。
＜請求項７＞
コンテンツを出力する出力手段を備えるコンテンツ出力装置に用いられるコンピュータを、
携帯端末から、他の近距離無線通信装置によりブロードキャストされた情報の受信履歴情報を取得する取得手段、
前記取得手段により取得された受信履歴情報に基づいて、出力対象のコンテンツを決定し、決定したコンテンツを前記出力手段により出力させる制御手段、
として機能させるためのプログラム。
【符号の説明】
【００７０】
１００  コンテンツ出力システム
１  デジタルサイネージ装置
２１  投影部
２２  スクリーン部
２３  制御部
２４  プロジェクタ
２５  記憶部
２５１  プログラム記憶部
２５２  コンテンツ記憶部
２５３  対象商品テーブル記憶部
２５４  レシピ決定テーブル記憶部
２７  画像形成部
２８  台座
２９  透光板
３１  近距離無線通信部
３２  操作部
３３  音声出力部
２  ビーコン
３  携帯端末
３０１  制御部
３０２  記憶部
３２１  プログラム記憶部
３２２  受信ログ記憶部
３０３  操作部
３０４  表示部
３０５  ネットワーク通信部
３０６  近距離無線通信部
【図１】
2017169089.tif 000003
【図２】
2017169089.tif 000004
【図３】
2017169089.tif 000005
【図４】
2017169089.tif 000006
【図５】
2017169089.tif 000007
【図６】
2017169089.tif 000008
【図７】
2017169089.tif 000009
【図８】
2017169089.tif 000010
【図９】
2017169089.tif 000011
【図１０】
2017169089.tif 000012